(57)【要約】【課題】  この発明は現代病である外反母趾、内反小趾、ハンマー・トウ等の予防を始め、足の筋力の増強や偏平足の解消等、足全体を総合的に治す事が出来る足・足指健康具及び使用方法を開発・提供する事にある。【解決手段】  主に基板と中央部を丁番等の係止部材で連結し、左右をそれぞれ所定角度に調整移動可能な左右対称に設けた傾斜台本体と足乗せ用板を重合して成り、且つ、該基板には傾斜台本体を所定角度に設定し、係止用止め棒を係止する複数の係止穴をそれぞれ設け、且つ、該傾斜台本体の左右それぞれの両端下部には傾斜台本体係止用止め棒をそれぞれ嵌着して設け、且つ、該傾斜台本体の左右それぞれの両端上面部には足乗せ用板係止用止め棒と指張棒をそれぞれ設け、且つ、該足乗せ用板は使用者の足の大きさや形状に合わせて取り替え変更可能な複数種類の足指挿入穴をそれぞれ設けたものである。【選択図】  図１
2006288491.tif 000002
【特許請求の範囲】
【請求項１】
足指や足首等足全体の筋肉を鍛えて健康な足体にする為の健康具であって、該健康具（ＨＴ）は主に基板（１）と中央部を丁番等の係止部材（６）で連結し、左右をそれぞれ所定角度（α）に調整移動可能な左右対称に設けた傾斜台本体（２）（２’）と足乗せ用板（３）（３’）を重合して成り、且つ、該基板（１）には傾斜台本体を所定角度に設定し、係止用止め棒（４）を係止する複数の係止穴（１ａ）（１ａ’）（３ｃ）（３ｃ’）をそれぞれ設け、且つ、該傾斜台本体（２）（２’）の左右それぞれの両端下部には傾斜台本体係止用止め棒（４）（４）をそれぞれ嵌着して設け、且つ、該傾斜台本体（２）（２’）の左右それぞれの両端上面部には足乗せ用板係止用止め棒（５）（５）と指張棒（３ｄ）（３ｄ’）をそれぞれ設け、且つ、該足乗せ用板（３）（３’）は使用者の足の大きさや形状に合わせて取り替え変更可能な複数種類の足指挿入穴（３ａ）（３ａ’）をそれぞれ設けた事を特徴とする足・足指健康具。
【請求項２】
使用時は使用者の足の大きさや形状に適合した足乗せ用板（３）（３’）をそれぞれ選定して傾斜台本体（２）（２’）にそれぞれ取り付け、且つ、傾斜台本体（２）（２’）を使用目的や使用者の安定角度に応じた所定角度（α）に設定し、使用者の両足指を足乗せ用板の
足指挿入穴部に挿入して使用する事を特徴とする足・足指健康具（ＨＴ）の使用方法。
【発明の詳細な説明】
【技術分野】
【０００１】
この発明は、足指や足首等足全体の筋肉を鍛えて健康な足体にする為の足・足指健康具及び使用方法に関するものである。
【背景技術】
【０００２】
従来、公知になっているもので一例を紹介すると、例えば足のツボを刺激して偏平足の予防やダイエットや足腰と心肺機能の強化や老化予防等を図るもの、又、足の指と指の間隔を広げたり狭めたりする事で足の血行を良くし、あらゆる傷病の予防に効果のあるもの等、様々な足を動かす事で健康を維持する健康具が考案・発明され出願されている。（特許文献１〜２参照。）
【０００３】
【特許文献１】特開２００１−２８６５２９
【特許文献２】特開２００４−０６５４４４
【０００４】
しかし、上記の健康具では現代病の外反母趾、内反小趾、ハンマー・トウ等の予防には効果が無い為、これらの予防に効果が有り、且つ、足・足指の病気を総合的に治す事が出来る健康具の早期開発が望まれている。
【発明の開示】
【発明が解決しようとする課題】
【０００５】
そこで、上記課題を解決する為に、この発明は現代病である外反母趾、内反小趾、ハンマー・トウ等の予防を始め、足の筋力の増強や偏平足の解消等、足全体を総合的に治す事が出来る足・足指健康具及び使用方法を開発・提供する事にある。
【課題を解決するための手段】
【０００６】
この課題を解決する為の手段として、健康具は主に基板と中央部を丁番等の係止部材で連結し、左右をそれぞれ所定角度に調整移動可能な左右対称に設けた傾斜台本体と足乗せ用板を重合して成り、且つ、該基板には傾斜台本体を所定角度に設定し、係止用止め棒を係止する複数の係止穴をそれぞれ設け、且つ、該傾斜台本体の左右それぞれの両端下部には傾斜台本体係止用止め棒をそれぞれ嵌着して設け、且つ、該傾斜台本体の左右それぞれの両端上面部には足乗せ用板係止用止め棒と指張棒をそれぞれ設け、且つ、該足乗せ用板は使用者の足の大きさや形状に合わせて取り替え変更可能な複数種類の足指挿入穴をそれぞれ設けたものである。
【０００７】
又、使用時は使用者の足の大きさや形状に適合した足乗せ用板をそれぞれ選定して傾斜台本体にそれぞれ取り付け、且つ、傾斜台本体を使用目的や使用者の安定角度に応じた所定角度に設定し、使用者の両足指を足乗せ用板の足指挿入穴部に挿入して使用するものである。
【発明の効果】
【０００８】
この発明の効果として、健康具は主に基板と中央部を丁番等の係止部材で連結し、左右をそれぞれ所定角度に調整移動可能な左右対称に設けた傾斜台本体と足乗せ用板を重合して成り、且つ、該基板には傾斜台本体を所定角度に設定し、係止用止め棒を係止する複数の係止穴をそれぞれ設け、且つ、該傾斜台本体の左右それぞれの両端下部には傾斜台本体係止用止め棒をそれぞれ嵌着して設け、且つ、該傾斜台本体の左右それぞれの両端上面部には足乗せ用板係止用止め棒と指張棒をそれぞれ設け、且つ、該足乗せ用板は使用者の足の大きさや形状に合わせて取り替え変更可能な複数種類の足指挿入穴をそれぞれ設け、又、使用時は使用者の足の大きさや形状に適合した足乗せ用板をそれぞれ選定して傾斜台本体にそれぞれ取り付け、且つ、傾斜台本体を使用目的や使用者の安定角度に応じた所定角度に設定し、使用者の両足指を足乗せ用板の足指挿入穴部に挿入して使用する事で現代病である外反母趾、内反小趾、ハンマー・トウ等の予防を始め、足の筋力の増強や偏平足の解消等、足全体を総合的に治す事が出来る。
【０００９】
又、この発明の足・足指健康具を使用してホーマン体操やストレッチ体操をする事でより一層の効果が増し、横足弓、縦足弓等のアーチの筋力増強や、足背、足底の筋力増強、更に筋肉痛疲労等の解消に極めて有益なる効果を奏するものである。
【発明を実施するための最良の形態】
【００１０】
この発明の最良の形態として、足乗せ用板の足指挿入穴を使用者の足の大きさに合わせて形成する事が望ましいが、コスト的に問題がある場合は複数個有る中から最も使用者の足の大きさに適合したものを選定して正しく使用する事が重要である。
【実施例１】
【００１１】
そこで、この発明の一実施例を図１〜図３に基づいて詳述すると、足指や足首等足全体の筋肉を鍛えて健康な足体にする為の健康具であって、該健康具（ＨＴ）は主に基板（１）と中央部を丁番等の係止部材（６）で連結し、左右をそれぞれ所定角度（α）に調整移動可能な左右対称に設けた傾斜台本体（２）（２’）と足乗せ用板（３）（３’）を重合して成り、且つ、該基板（１）には傾斜台本体を所定角度に設定し、係止用止め棒（４）を係止する複数の係止穴（１ａ）（１ａ’）（３ｃ）（３ｃ’）をそれぞれ設け、且つ、該傾斜台本体（２）（２’）の左右それぞれの両端下部には傾斜台本体係止用止め棒（４）（４）をそれぞれ嵌着して設け、且つ、該傾斜台本体（２）（２’）の左右それぞれの両端上面部には足乗せ用板係止用止め棒（５）（５）と指張棒（３ｄ）（３ｄ’）をそれぞれ設け、且つ、該足乗せ用板（３）（３’）は使用者の足の大きさや形状に合わせて取り替え変更可能な複数種類の足指挿入穴（３ａ）（３ａ’）をそれぞれ設けた事を特徴とする足・足指健康具から構成される。
【００１２】
次に、この発明の詳細について説明すると、ほぼ半円状に形成し、且つ、傾斜台本体（２）（２’）係止用の止め棒（４）係止穴（１ａ）（１ａ’）（３ｃ）（３ｃ’）を内周部と外周部にそれぞれ複数個設けた基板（１）上に、中央部を丁番等の係止部材（６）で連結し、左右をそれぞれ所定角度（α）に調整移動可能な左右対称に設けた傾斜台本体（２）（２’）と足乗せ用板（３）（３’）を重合して設け、傾斜台本体（２）（２’）の係止は、止め棒（４）（４）をそれぞれ傾斜台本体（２）（２’）側に嵌着し、基板（１）側の係止穴（１ａ）（１ａ’）（３ｃ）（３ｃ’）は容易に取り外し出来る様、それぞれバカ穴を設けている。又、傾斜台本体（２）（２’）と足乗せ用板（３）（３’）の係止は、止め棒（５）（５）をそれぞれ傾斜台本体（２）（２’）側に嵌着し、足乗せ用板（３）（３’）側の係止穴（３ｂ）（３ｂ’）は容易に取り外し出来る様、それぞれバカ穴を設けている。
【００１３】
そして、傾斜台本体（２）（２’）は、中央部から所定角度（α）に移動調整可能な丁番等の係止部材（６）をビス等の固着部材（Ｂ）でそれぞれ固着している。
【００１４】
又、足乗せ用板（３）（３’）は使用者によって足の大きさや指の大きさが異なる為、足指挿入穴（３ａ）（３ａ’）の大きさや形状を変えた複数種類を形成し、選定出来る様に成っている。
【００１５】
更に、傾斜台本体（２）（２’）と足乗せ用板（３）（３’）は、使用者が安定した姿勢で使用出来る様に、段階的に一定な角度で調整出来る様に成っていて、図３はその一例を示す平面図である。
【００１６】
次に、この発明の使用方法について説明すると、図４に示す様に使用する時は、使用者の足の大きさや形状に適合した足乗せ用板（３）（３’）をそれぞれ選定して傾斜台本体（２）（２’）にそれぞれ取り付け、且つ、傾斜台本体（２）（２’）を使用目的や使用者の安定角度に応じた所定角度（α）に設定後、机（Ｄ）や握り棒等を使用して両手を支えながらバランスをとり、足・足指健康具（ＨＴ）の足指挿入穴（３ａ）（３ａ’）部に両足の全指を挿入して使用する。
【００１７】
又、外反母趾、内反小趾、ハンマー・トウ等の治療をする時は、足乗せ用板（３）（３’）上部に設けた指張棒（３ｄ）（３ｄ’）部に紐やゴム等を係止して引っ張る事で足指を強制する。
【産業上の利用可能性】
【００１８】
この発明の足・足指健康具は現代病である外反母趾、内反小趾、ハンマー・トウ等の予防を始め、足の筋力の増強や偏平足の解消等、足全体を総合的に治す事が出来る為、多くの市場に寄与する点で産業上の利用可能性を有する。
【図面の簡単な説明】
【００１９】
【図１】この発明の一実施例を示し、（Ａ）は平面図で、（Ｂ）は正面図である。
【図２】この発明の一実施例を示し、（Ａ）は右側面図で、（Ｂ）は図１（Ａ）のａ−ａ断面図で、（Ｃ）は図１（Ａ）のａ−ａ断面図ある。
【図３】この発明の一実施例を示し、傾斜台本体と足乗せ用板を所定角度に調整した時の平面図である。
【図４】この発明の使用例を示し、左側面図である。
【符号の説明】
【００２０】
１  基板
１ａ  係止穴
１ａ’  係止穴
２  傾斜台本体（右用）
２’  傾斜台本体（左用）
３  足乗せ用板（右用）
３’  足乗せ用板（左用）
３ａ  足指挿入穴（右用）
３ａ’  足指挿入穴（左用）
３ｂ  足乗せ用板係止穴
３ｂ’  足乗せ用板係止穴
３ｃ  傾斜台本体係止穴
３ｃ’  傾斜台本体係止穴
３ｄ  指張棒
３ｄ’  指張棒
４  傾斜台本体係止用止め棒
５  足乗せ用板係止用止め棒
６  丁番等の係止部材
Ｂ  ビス
Ｄ  机
ＨＴ  足・足指健康具
α  所定角度
【図１】
2006288491.tif 000003
【図２】
2006288491.tif 000004
【図３】
2006288491.tif 000005
【図４】
2006288491.tif 000006